(57)【要約】【課題】番組を見ながら容易にアンケートの回答を入力することができる表示回答システム、番組表示装置、および番組表示プログラムを提供する。【解決手段】番組表示装置において、番組とアンケートとを受信して、番組を表示する。また、アンケートを回答装置に向けて送信する。回答装置では、受信したアンケートの画面を表示し、アンケートの回答を操作に応じて決定して、回答を番組表示装置に向けて返信する。番組表示装置では、回答装置から受信した回答を回答回収装置に向けて返信する。【選択図】        図１
2007266881.tif 000002
【特許請求の範囲】
【請求項１】
配信局から配信された番組を受信する番組受信部と、
前記番組の配信中にそれと共に配信される、該番組に関するアンケート情報を受信するアンケート受信部と、
前記番組受信部で受信された番組を表示する番組表示部と、
前記アンケート受信部で受信されたアンケート情報を、そのアンケート情報で示されるアンケートの回答を返信してくる回答装置に向けて送信するアンケート送信部と、
前記回答装置から前記アンケート情報に関する回答を受信する回答受信部と、
前記回答受信部で受信された回答を所定の回答回収装置に向けて転送する回答転送部とを備えた番組表示装置；および
前記番組表示装置から送られてきたアンケート情報を受信するアンケート受信部と、
前記アンケート受信部で受信されたアンケート情報により構成されるアンケート画面を表示するアンケート表示部と、
前記アンケート表示部に表示されたアンケート画面でのアンケートの回答を操作に応じて決定する回答部と、
前記回答部で決定された回答を前記番組表示装置に向けて返信する回答返信部とを備えた回答装置；
を備えたことを特徴とする表示回答システム。
【請求項２】
前記番組表示装置がテレビであり、
前記回答装置がパーソナルコンピュータであることを特徴とする請求項１記載の表示回答システム。
【請求項３】
前記番組表示装置の前記アンケート送信部は、前記アンケート情報を他装置を介在しない通信経路で前記回答装置に向けて送信し、
前記番組表示装置の前記回答転送部は、通信ネットワークを介して前記所定の回答回収装置に向けて転送し、
前記回答装置の回答返信部は、前記回答部で決定された回答を前記通信経路で前記番組表示装置に向けて返信することを特徴とする請求項１記載の表示回答システム。
【請求項４】
前記番組表示装置の番組表示部は、前記番組受信部で受信された番組及び前記アンケート受信部で受信されたアンケート情報のうち番組のみを表示することを特徴とする請求項１記載の表示回答システム。
【請求項５】
配信局から配信された番組を受信する番組受信部と、
前記番組の配信中にそれと共に配信される、該番組に関するアンケート情報を受信するアンケート受信部と、
前記番組受信部で受信された番組を表示する番組表示部と、
前記アンケート受信部で受信されたアンケート情報を、そのアンケート情報で示されるアンケートの回答を返信してくる回答装置に向けて送信するアンケート送信部と、
前記回答装置から前記アンケートの回答を受信する回答受信部と、
前記回答受信部で受信された回答を所定の回答回収装置に向けて転送する回答転送部とを備えたことを特徴とする番組表示装置。
【請求項６】
前記番組表示部は、前記番組受信部で受信された番組及び前記アンケート受信部で受信されたアンケート情報のうち番組のみを表示することを特徴とする請求項５記載の番組表示装置。
【請求項７】
前記番組表示装置がテレビであることを特徴とする請求項５記載の番組表示装置。
【請求項８】
前記アンケート送信部は、前記アンケート情報を他装置を介在しない通信経路で前記回答装置に向けて送信し、
前記回答受信部は、前記回答装置から前記アンケートの回答を前記通信経路で受信し、
前記回答転送部は、通信ネットワークを介して前記所定の回答回収装置に向けて転送することを特徴とする請求項５記載の番組表示装置。
【請求項９】
コンピュータ内で実行される番組表示プログラムにおいて、該コンピュータを、
配信局から配信された番組を受信する番組受信部と、
前記番組の配信中にそれと共に配信される、該番組に関するアンケート情報を受信するアンケート受信部と、
前記番組受信部で受信された番組を表示する番組表示部と、
前記アンケート受信部で受信されたアンケート情報を、そのアンケート情報で示されるアンケートの回答を返信してくる回答装置に向けて送信するアンケート送信部と、
前記回答装置から前記アンケートの回答を受信する回答受信部と、
前記回答受信部で受信された回答を所定の回答回収装置に向けて転送する回答転送部として機能させることを特徴とする番組表示プログラム。
【発明の詳細な説明】
【技術分野】
【０００１】
本発明は、配信された番組とアンケートとを表示し、アンケートに回答する表示回答システム、番組表示装置、および番組表示プログラムに関する。
【背景技術】
【０００２】
従来、放送の分野においては、番組の音声、映像の色、および映像の明るさなどといった情報を電気信号に置き換え、それら電気信号をアナログ変調して配信するアナログ放送が一般的である。近年では、アナログ放送に加えて、番組の映像および音声を（０，１）のビット列に符号化して圧縮し、圧縮されたデジタル信号をデジタル変調して配信するデジタル放送が広く知られてきている。デジタル放送としては、従来のアナログ放送と同様の地上波を利用した地上波デジタル放送、各種衛星を利用した衛星デジタル放送、およびケーブルを用いた有線デジタル放送などが利用されており、それらデジタル放送は、周波数の利用効率が高いため多チャンネル化に対応することができ、雑音やゆがみに強いため高画質な画像を放送することができるなどという利点がある。
【０００３】
また、デジタル放送の利点として、番組の映像や音声に加えて、アンケートなどといった付加情報もいっしょに配信することができ、番組を閲覧する利用者側が配信された番組を受信するだけではなく、番組に関するアンケートの回答を返信するといった双方向通信が可能であるという点も挙げられる。
【０００４】
双方向通信を実現する方法としては、テレビにアンケート用サイトのＵＲＬを表示させ、ユーザがそのＵＲＬをパーソナルコンピュータに入力して、インターネット経由でアンケート用サイトにアクセスし、アンケート用サイトに用意されたアンケート画面を使ってアンケートに回答する方法が知られている。
【０００５】
特許文献１には、放送受信装置（テレビなど）に番組と付加情報とを表示するとともに、付加情報の中から選択情報（ＵＲＬなど）を切り出して周辺装置（パーソナルコンピュータなど）に送信し、周辺装置において、選択情報に基づいてネットワーク経由でアンケート画面を取得して、アンケート画面を自動的に表示する技術について記載されている。この特許文献１に記載された技術によると、ユーザがテレビに表示されたＵＲＬをメモして、そのＵＲＬをパーソナルコンピュータに手動で入力する手間を省くことができ、メモのミスや入力ミスなどによってアンケート用サイトにアクセスすることができなくなってしまう不具合を回避することができる。
【０００６】
また、家庭用のテレビをケーブルなどで通信ネットワークに接続しておき、テレビにアンケートを表示させて、テレビ用のリモコンを使ってアンケートに回答し、通信ネットワーク経由で回答を返信する方法なども知られている。有線デジタル放送ではすでにテレビが通信ネットワークに接続されており、また、地上波デジタル放送などにおいても、テレビ自体を通信ネットワークに接続し、パーソナルコンピュータ等を使い慣れていないお年寄りなどにも幅広く双方向通信を広めようとする動きが高まっている。近い将来、従来のアナログ放送が地上波デジタル放送に切り替えられることが決定しており、このようにテレビを通信ネットワークに接続する形態がさらに増加していくと考えられる。この技術を適用することによって、利用者側の要望などを提供者側に確実に伝達することができる。
【特許文献１】特開２００２−１２５１６１号公報
【発明の開示】
【発明が解決しようとする課題】
【０００７】
しかし、テレビを使ってアンケートに回答する方法では、表示されている番組の上にアンケートが重ねて表示されてしまったり、番組が小さく表示されてしまったりするため、番組が見づらく、番組を見ながらアンケートに回答することができないという問題がある。また、テレビのリモコンを使ってアンケートの回答を入力する場合、数字などといった簡単な回答に限られてしまい、番組の感想などを文章で表現して回答することが困難であるという問題もある。
【０００８】
本発明は、上記事情に鑑み、番組を見ながら容易にアンケートの回答を入力することができる表示回答システム、番組表示装置、および番組表示プログラムを提供することを目的とする。
【課題を解決するための手段】
【０００９】
上記目的を達成する本発明の表示回答システムは、所定の配信局から配信された番組を受信する番組受信部と、
番組の配信中にそれと共に配信される、番組に関するアンケート情報を受信するアンケート受信部と、
番組受信部で受信された番組を表示する番組表示部と、
アンケート受信部で受信されたアンケート情報を、そのアンケート情報で示されるアンケートの回答を返信してくる回答装置に向けて送信するアンケート送信部と、
回答装置からアンケート情報に関する回答を受信する回答受信部と、
回答受信部で受信された回答を所定の回答回収装置に向けて転送する回答転送部とを備えた番組表示装置；および
番組表示装置から送られてきたアンケート情報を受信するアンケート受信部と、
アンケート受信部で受信されたアンケート情報により構成されるアンケート画面を表示するアンケート表示部と、
アンケート表示部に表示されたアンケート画面でのアンケートの回答を操作に応じて決定する回答部と、
回答部で決定された回答を番組表示装置に向けて返信する回答返信部とを備えた回答装置；
を備えたことを特徴とする。
【００１０】
本発明の表示回答システムでは、番組表示装置で受信された番組はそのまま番組表示装置で表示され、アンケート情報は回答装置に送られて、そのアンケート情報で構成されるアンケート画面として回答装置で表示される。また、番組を閲覧する利用者によって回答装置の操作子を使ってアンケートの回答が決定されると、その回答が番組表示装置に送られて、さらに、回答が回答回収装置に転送される。本発明の表示回答システムによると、番組とアンケートとが別の画面に表示されるため、番組を見ながらアンケートの回答を入力することができる。
【００１１】
また、本発明の表示回答システムにおいて、上記番組表示装置がテレビであり、
上記回答装置がパーソナルコンピュータであることが好適である。
【００１２】
今後、テレビが通信ネットワークに一般的に接続されると考えられるため、本発明の好適な表示回答システムによると、利用者は、テレビに適用された通信ネットワークをそのまま利用し、普段使い慣れているパーソナルコンピュータのマウスやキーボードを使って、文章などといった複雑な回答も容易に入力することができる。また、番組を提供する提供者側では、利用者から番組の感想などといった詳しい情報を確実に取得することができる。
【００１３】
また、本発明の表示回答システムにおいて、上記番組表示装置のアンケート送信部は、アンケート情報を他装置を介在しない通信経路で前記回答装置に向けて送信し、
上記番組表示装置の回答転送部は、通信ネットワークを介して所定の回答回収装置に向けて転送し、
上記回答装置の回答返信部は、回答部で決定された回答を上記通信経路で番組表示装置に向けて返信することが好ましい。
【００１４】
番組表示装置と回答装置とを他装置を介在しない通信経路で接続することにより、回答装置を通信ネットワークに接続する必要がなくなるため、プロバイダ料金や接続料金などを抑えることができる。
【００１５】
また、上記目的を達成する本発明の番組表示装置は、配信局から配信された番組を受信する番組受信部と、
前記番組の配信中にそれと共に配信される、該番組に関するアンケート情報を受信するアンケート受信部と、
番組受信部で受信された番組を表示する番組表示部と、
アンケート受信部で受信されたアンケート情報を、そのアンケート情報で示されるアンケートの回答を返信してくる回答装置に向けて送信するアンケート送信部と、
回答装置からアンケートの回答を受信する回答受信部と、
回答受信部で受信された回答を所定の回答回収装置に向けて転送する回答転送部とを備えたことを特徴とする。
【００１６】
本発明の番組表示装置によると、番組を当該番組表示装置に表示し、アンケート画面を回答装置に表示させることができ、利用者は、番組を見ながら、使いやすい回答装置の操作子を使ってアンケートの回答を容易に入力することができる。
【発明を実施するための最良の形態】
【００１７】
以下図面を参照して本発明の実施の形態を説明する。
【００１８】
図１は、本発明の一実施形態が適用された番組配信システムの概略構成図である。
【００１９】
この番組配信システムは、番組を配信する提供者側から、番組と、番組に関するアンケートとを配信し、番組を閲覧する利用者側で、番組とアンケートとを受信して、アンケートの回答を提供者側に送信する双方向通信が可能なシステムである。番組配信システムには、番組およびアンケート情報の配信と、回答の回収とを行う基地局１０と、基地局１０から配信された番組を閲覧するためのテレビ３０と、番組とともに配信されたアンケート情報で示されるアンケートに回答するためのパーソナルコンピュータ４０とで構成されている。尚、実際には、番組配信システムには、多数の基地局や、多数のテレビなどが接続されて構成されているが、図１では、本発明の説明に必要な要素のみを示している。
【００２０】
基地局１０では、番組の映像を表わすデジタルの映像情報、番組の音声を表わすデジタルの音声情報、および番組に関するアンケートが含まれた付加情報などが番組情報としてまとめられ、さらに圧縮処理が施された番組情報がデジタル変調されて電波として発信されることにより、番組やアンケート情報が配信される。基地局１０は、本発明における配信局および回答回収装置の双方を兼ねた一例に相当する。
【００２１】
基地局１０から配信された番組やアンケート情報は、アンテナ２０で受信されてテレビ３０に伝達される。テレビ３０は、本発明にいう番組表示装置の一例に相当するとともに、本発明のテレビの一例にも相当するものであり、外観構成上、番組を表示する表示画面３０ａ、テレビの電源やチャンネルを操作するためのスイッチ３１、および音声を出力するスピーカ（図２参照）などが備えられており、赤外線を使ってスイッチ３１の操作を手元で行うためのリモコン３２も備えられている。テレビ３０は、パーソナルコンピュータ４０とＵＳＢケーブル５０で接続されており、基地局１０とは通信ネットワーク６０で接続されている。ＵＳＢケーブル５０は、本発明にいう「他装置介在しない通信経路」の一例にあたる。
【００２２】
図２は、テレビ３０の内部構成図である。
【００２３】
テレビ３０の内部には、図２に示すように、アンテナ２０で受信した電波の中からユーザによって選局されたチャンネルの電波を選択し、選択した電波を上述したデジタルの番組情報に変換するチューナ３３、圧縮されている番組情報を展開し、展開した番組情報から映像情報、音声情報、および付加情報を抽出する信号処理部３４、デジタルの映像情報をアナログ信号に変換して表示画面３０ａに送る表示制御部３５、音声信号をアナログ信号に変換してスピーカ３６ａに送る音声制御部３６、通信ネットワーク６０を介して基地局１０に向けてアンケートの回答を返信するネットワーク用インタフェース３７、テレビ３０全体を制御する全体制御部３８、テレビ３０全体を制御するための各種情報が記憶されたメモリ３８ａ、パーソナルコンピュータ４０にアンケート情報を送信し、パーソナルコンピュータ４０からアンケートの回答を受信するパーソナルコンピュータ用インタフェース３９、リモコン３２から発せられた赤外線を受信する赤外線受信部３２ａ、および図１にも示す表示画面３０ａ、スイッチ３１、およびリモコン３２も備えられている。チューナ３３は、本発明にいう番組受信部およびアンケート受信部の双方を兼ねた一例にあたり、表示画面３０ａおよび表示制御部３５によって、本発明にいう番組表示部の一例が構成されている。また、ネットワーク用インタフェース３７は、本発明にいう回答転送部の一例にあたり、パーソナルコンピュータ用インタフェース３９は、本発明にいうアンケート送信部および回答受信部の双方を兼ねた一例に相当する。これら各部は、テレビに内蔵された制御装置で実行されるプログラムが関連ハードウェアを制御することにより各機能ブロックとして実現される。
【００２４】
図１に示すテレビ３０は、以上のように構成されている。続いて、図１に示すパーソナルコンピュータ４０の構成について説明する。
【００２５】
図１に示すように、パーソナルコンピュータ４０は、外観構成上、本体装置４１、その本体装置４１からの指示に応じて表示画面４２ａ上に画像を表示する画像表示装置４２、本体装置４１にキー操作に応じた各種の情報を入力するキーボード４３、および、表示画面４２ａ上の任意の位置を指定することにより、その位置に表示された、例えばアイコン等に応じた指示を入力するマウス４４を備えている。また、図示しないが、この本体装置４１は、ＤＶＤやＣＤ−ＲＯＭが装填されるＣＤ／ＤＶＤ装填口、およびフレキシブルディスク（以下では、ＦＤと省略する）を装填するためのＦＤ装填口を有している。このパーソナルコンピュータ４０は、本発明にいう回答装置の一例に相当する。
【００２６】
図３は、パーソナルコンピュータ４０の内部構成図である。
【００２７】
本体装置４１の内部には、図３に示すように、各種プログラムを実行するＣＰＵ４０１、ハードディスク装置４０３に格納されたプログラムが読み出されＣＰＵ４０１での実行のために展開される主メモリ４０２、各種プログラム等が保存されたハードディスク装置４０３、ＣＤ−ＲＯＭ３００やＤＶＤが装填され、その装填されたＣＤ−ＲＯＭ４１０やＤＶＤをアクセスするＣＤ／ＤＶＤドライブ４０４、ＦＤ４２０が装填され、装填されたＦＤ４２０をアクセスするＦＤドライブ４０５、図１に示すテレビ３０からアンケート情報などを受信し、テレビ３０にアンケートの回答を送信する入出力インタフェース４０６が内蔵されており、これらの各種要素と、さらに図１にも示す画像表示装置４２、キーボード４３、およびマウス４４は、バス４５を介して相互に接続されている。入出力インタフェース４０６は、本発明にいうアンケート受信部および回答返信部それぞれの一例に相当し、キーボード４３およびマウス４４は、本発明にいう回答部の一例に相当する。
【００２８】
図１に示す番組配信システムは、基本的には以上のように構成されている。
【００２９】
図４は、基地局１０から番組とアンケート情報を受信し、そのアンケート情報で示されるアンケートの回答を基地局１０へ送信する一連の処理の流れを示すフローチャートである。
【００３０】
以下、図４のフローチャートに従って、基地局１０からアンケート情報を受信して、アンケートの回答を基地局１０に返信するまでの一連の処理について説明する。
【００３１】
テレビ３０のメモリ３８ａには、前回の電源切断時に選択されていたチャンネル（最終チャンネルと称する）が記憶されている。
【００３２】
利用者がスイッチ３１やリモコン３２を使ってテレビ３０の電源を投入すると、スイッチ３１や赤外線受信部３２ａから全体制御部３８に電源の投入が伝えられる。全体制御部３８は、メモリ３８ａから最終チャンネルを取得し、その最終チャンネルをチューナ３３に伝える。
【００３３】
また、利用者がリモコン３２等を使ってチャンネルを選択すると（図４のステップＳ１）、選択されたチャンネルが全体制御部３８を介してチューナ３３に伝えられる。
【００３４】
アンテナ２０で受信された電波はチューナ３３に伝達される。チューナ３３では、全体制御部３８から伝えられたチャンネルの電波が選択され、選択された電波が上述したデジタルの番組情報に変換される。変換された番組情報は、信号処理部３４に伝えられる。
【００３５】
信号処理部３４では、まず、圧縮された番組情報が展開される。この展開された番組情報は、ＴＳ（Ｔｒａｎｓｐｏｒｔ  Ｓｔｒｅａｍ）と呼ばれるデータ列で構成されたパケット集合体であり、映像情報、音声情報、付加情報、および映像や音声やアンケートを関連付けるための複数のテーブルなどで構成されている。本実施形態においては、ＴＳパケットに含まれる各情報には、番組を識別する番組番号と、その情報の種別（映像、音声、付加）を識別する種別番号とが付加されており、ＴＳパケットに含まれるＰＡＴ（Ｐｒｏｇｒａｍ  Ａｓｓｏｃｉａｔｉｏｎ  Ｔａｂｌｅ）に、番組と番組番号との対応関係（例えば、番組＿１：ＰＩＤ（番組番号）「１」，番組＿２：ＰＩＤ「２」，…）が定義されており、各番組ごとに用意されたＰＭＴ（Ｐｒｏｇｒａｍ  Ｍａｐ  Ｔａｂｌｅｓ）に、識別番号と情報の種別との対応関係（例えば、映像情報：ＳＩＤ（種別番号）「１」、音声情報：ＳＩＤ「２」、付加情報：ＳＩＤ「３」）が定義されている。すなわち、信号処理部３４では、ＴＳパケット中の、同じＰＩＤ（番組番号）が付加された情報が取得され、続いて、それら各情報に付加されたＳＩＤ（種別番号）が識別されることによって、同じ番組を構成する映像情報、音声情報、および付加情報が抽出される（図４のステップＳ２）。抽出された映像情報は表示制御部３５に伝えられ、音声情報は音声制御部３６に伝えられ、付加情報は全体制御部３８に伝えられる。
【００３６】
映像情報および音声情報が抽出されると、表示制御部３５によって、映像情報が表わす番組の映像が表示画面３０ａ上に表示され（図４のステップＳ３）、音声制御部３６によって、音声情報が表わす番組の音声がスピーカ３６ａから発せられる。
【００３７】
図５は、テレビ３０の表示画面３０ａ上に表示される画像を示す図である。
【００３８】
図４のステップＳ３においては、図５のパート（Ａ）に示すように、テレビ３０の表示画面３０ａ上には、番組の映像１００が表示されている。
【００３９】
利用者がテレビ３０で番組を閲覧し、リモコン３２などでアンケートの表示を指示すると（図４のステップＳ４：Ｙｅｓ）、指示内容が全体制御部３８に伝えられる。全体制御部３８は、パーソナルコンピュータ用インタフェース３９を介して、テレビ３０にパーソナルコンピュータ４０が接続されているか否かを検出する（図４のステップＳ５）。
【００４０】
パーソナルコンピュータ４０が接続されていなかった場合は（図４のステップＳ５：Ｎｏ）、全体制御部３８は、信号処理部３４から伝えられた付加情報を表示制御部３５に送り、表示画面３０ａ上にアンケート画面を表示させる（図４のステップＳ６）。
【００４１】
図４のステップＳ６においては、図５のパート（Ｂ）に示すように、テレビ３０の表示画面３０ａに、番組の映像１００の上に重ねてアンケート画面１１０が表示されている。
【００４２】
利用者は、図５のパート（Ｂ）に示す番組の映像１００、およびアンケート画面１１０を確認し、リモコン３２を使って、アンケート画面１１０に従って回答を入力する（図４のステップＳ７）。入力された回答は、赤外線受信部３２ａから全体制御部３８に伝えられ、さらに、ネットワーク用インタフェース３７に伝えられる。
【００４３】
ネットワーク用インタフェース３７は、回答を通信ネットワーク６０を介して基地局１０に向けて返信する（図４のステップＳ１１）。
【００４４】
ここで、図５のパート（Ｂ）に示す表示画面３０ａでは、番組の映像１００上にアンケート画面１１０が重ねて表示されており、利用者は、番組の映像１００を見ながらアンケートに回答することができない。また、回答の入力にリモコン３２が使用されるため、質問や感想などといった複雑な回答を入力することが大変困難であるという問題がある。本実施形態の番組配信システムでは、アンケートがパーソナルコンピュータ４０に表示され、パーソナルコンピュータ４０のマウス４４やキーボード４３を使って回答が入力されることによって、ユーザインタフェースの向上が図られている。
【００４５】
図４のステップＳ５において、パーソナルコンピュータ４０が接続されている場合は（図４のステップＳ５：Ｙｅｓ）、全体制御部３８は、信号処理部３４から伝えられた付加情報をパーソナルコンピュータ用インタフェース３９に伝える。パーソナルコンピュータ用インタフェース３９は、付加情報をＵＳＢケーブル５０を介してパーソナルコンピュータ４０に送信する。
【００４６】
図３に示すパーソナルコンピュータ４０の入出力インタフェース４０６では、テレビ３０から送られてきた付加情報が受信される。受信された付加情報は、ＣＰＵ４０１に伝えられ、さらに、画像表示装置４２に伝えられる。その結果、付加情報に含まれるアンケートがパーソナルコンピュータ４０の表示画面４２ａ上に表示される（図４のステップＳ８）。
【００４７】
図６は、パーソナルコンピュータ４０の表示画面４２ａ上に表示されたアンケート画面を示す図である。
【００４８】
表示画面４２ａ上には、アンケート画面１１０と、ポインタ１１１が表示されている。利用者は、マウス４４を使ってポインタ１１１を移動させ、キーボード４３を使って文章を入力してアンケートに回答する（図４のステップＳ９）。入力された回答はマウス４４やキーボード４３からＣＰＵ４０１に伝えられ、ＣＰＵ４０１によって入出力インタフェース４０６に伝えられて、入出力インタフェース４０６からＵＳＢケーブル５０を介してテレビ３０に返信される（図４のステップＳ１０）。
【００４９】
このように、アンケート画面がパーソナルコンピュータ４０に表示されることによって、利用者は、図５のパート（Ａ）に示すように、テレビ３０に表示された番組の映像１００を見ながらアンケートに回答することができ、また、普段使い慣れているキーボード４３やマウス４４が利用されるため、複雑な文章なども容易に入力することができる。
【００５０】
テレビ３０では、パーソナルコンピュータ用インタフェース３９において、パーソナルコンピュータ４０から返信されてきた回答が受信され、受信された回答が全体制御部３８に伝えられる。全体制御部３８に伝えられた回答はネットワーク用インタフェース３７に伝えられ、ネットワーク用インタフェース３７によって、通信ネットワーク６０を介して基地局１０に返信される（図４のステップＳ１１）。
【００５１】
本実施形態によると、パーソナルコンピュータ４０をアンケートの表示や回答の入力に利用することができるが、パーソナルコンピュータ４０自体は、通信ネットワークに接続されていなくてもよい。したがって、利用者にとっては、通信料金やプロバイダ料金などを追加させずに、アンケートに容易に回答することができ、提供者側によっては、利用者のアンケートに回答する意欲を向上させることができるため、より適確な情報を確実に得ることができる。
【００５２】
ここで、上記では、テレビとパーソナルコンピュータとを備えた番組配信システムについて説明したが、本発明にいう番組表示装置は、テレビ以外のパーソナルコンピュータなどであってもよく、本発明にいう回答装置は、パーソナルコンピュータ以外の携帯電話などであってもよい。
【００５３】
また、上記では、テレビとパーソナルコンピュータとをＵＳＢケーブルで接続する例について説明したが、本発明にいう「他装置を介在しない通信経路」は、例えば、赤外線やブルートゥース（Ｂｌｕｅｔｏｏｔｈ：登録商標）などによるワイヤレスの通信経路であってもよい。
【図面の簡単な説明】
【００５４】
【図１】本発明の一実施形態が適用された番組配信システムの概略構成図である。
【図２】テレビの内部構成図である。
【図３】パーソナルコンピュータの内部構成図である。
【図４】基地局から番組とアンケートを受信し、アンケートの回答を基地局へ送信する一連の処理の流れを示すフローチャートである。
【図５】テレビの表示画面上に表示される画像を示す図である。
【図６】パーソナルコンピュータの表示画面上に表示されたアンケート画面を示す図である。
【符号の説明】
【００５５】
１０    基地局
２０    アンテナ
３０    テレビ
３１    スイッチ
３２    リモコン
３３    チューナー
３４    信号処理部
３５    表示制御部
３６    音声制御部
３７    ネットワーク用インタフェース
３８    全体制御部
４０    パーソナルコンピュータ
４１    本体装置
４２    画像表示装置
４３    キーボード
４４    マウス
４０１    ＣＰＵ
４０２    主メモリ
４０３    ハードディスク装置
４０４    ＣＤ／ＤＶＤドライブ
４０５    ＦＤドライブ
４０６    入出力インタフェース
【図１】
2007266881.tif 000003
【図２】
2007266881.tif 000004
【図３】
2007266881.tif 000005
【図４】
2007266881.tif 000006
【図５】
2007266881.tif 000007
【図６】
2007266881.tif 000008